(57)【要約】【課題】導光板から入射する光が光学シート、及び、該光学シートの保持部材の間の隙間から漏れることを未然に防止できる表示装置を提供する。【解決手段】光学シートは複数枚の単位シート３１，３２，３３を含み、光学シートの鍔部を収納する収納部４２は、複数枚の単位シート３１，３２，３３のうち、鍔一部の単位シート３１，３２の鍔部３１４，３２４を収納する部分収納部４４を有し、一部の単位シート３１，３２を除く他部の単位シート３３の鍔部３３４を部分収納部４４より大きくし、部分収納部４４に一部の単位シート３１，３２の鍔部３１４，３２４が収納された場合、一部の単位シート３１，３２及び部分収納部４４を覆うように、他部の単位シート３３の鍔部３３４を収納部４２に収納する。
2017037855.tif 000002
【特許請求の範囲】
【請求項１】
導光板に載置されており、面に沿う方向に辺縁から延設された鍔部を有する光学シートと、前記鍔部を収納する収納部を有し、前記光学シートを保持する保持部材とを備える表示装置において、
前記光学シートは複数枚の単位シートを含み、
前記収納部は、前記複数枚の単位シートのうち、一部の単位シートの鍔部を収納する部分収納部を備え、
前記一部の単位シートを除く他部の単位シートの鍔部は、前記部分収納部より大きいことを特徴とする表示装置。
【請求項２】
前記他部の単位シートは、
前記導光板から最も遠い単位シートであり、
前記一部の単位シート及び前記部分収納部を覆うように前記収納部に収納されていることを特徴とする請求項１に記載の表示装置。
【請求項３】
前記光学シートの厚み方向における前記部分収納部の寸法は、前記一部の単位シートの鍔部の厚みを合算した値以下であることを特徴とする請求項１又は２に記載の表示装置。
【請求項４】
前記他部の単位シートの鍔部は、遮光膜を有することを特徴とする請求項２から３の何れかに記載の表示装置。
【請求項５】
前記保持部材は前記光学シートを囲んでおり、
前記光学シートを介して光が入射される表示パネルと、
前記光学シートの辺縁に沿って前記保持部材に設けられ、前記表示パネルを支持する支持部とを備え、
前記支持部の前記光学シート側の縁部が前記他部の単位シートによって覆われていることを特徴とする請求項１から４の何れかに記載の表示装置。
【発明の詳細な説明】
【技術分野】
【０００１】
本発明は、導光板に載置されており、面に沿う方向に辺縁から延設された鍔部を有する光学シートと、前記鍔部を収納する収納部を有し、前記光学シートを保持する保持部材とを備える表示装置に関する。
【背景技術】
【０００２】
近年、液晶表示パネルを用いる、いわゆる薄型表示装置が広く普及しており、該薄型表示装置においては、表示画面外の額縁幅を小さくした狭額縁化について様々な工夫が行われている。【０００３】
例えば、特許文献１においては、表示パネルを支持するパネル支持部にて光学シートの位置決めを行うように構成することにより、光学シートを通過して表示パネルに入射する光のムラが発生し難くなりつつ、前記光学シートの位置決めを行うための部分の他、前記表示パネルを支持するための部分を別途設ける必要がなくなり、一層狭額縁化できる表示装置が開示されている。
【先行技術文献】
【特許文献】
【０００４】
【特許文献１】国際公開第２０１５／０３７４０４号
【発明の概要】
【発明が解決しようとする課題】
【０００５】
このような表示装置においては、上述したようにパネル支持部を用いる構成の場合、該パネル支持部が導光板と光学シートの間に介在し、前記導光板及び前記光学シートの周縁部を保持する。従って、これらの周縁部での光漏れは生じない。【０００６】
一方、薄型化のため、前記パネル支持部が前記導光板及び前記光学シートの間に存在しない構成も多い。このような構成では、前記導光板及び前記光学シートが当接しており、これらの周縁部にて光が漏れる虞がある。しかしながら、特許文献１に係る表示装置ではこのような問題を考慮していない。【０００７】
本発明は、斯かる事情に鑑みてなされたものであり、その目的とするところは、導光板に載置されており、面に沿う方向に辺縁から延設された鍔部を有する光学シートと、該鍔部を収納する収納部を有し、前記光学シートを保持する保持部材とを備える表示装置において、前記導光板から入射する光が前記光学シート及び前記保持部材の間の隙間から漏れることを未然に防止できる表示装置を提供することにある。
【課題を解決するための手段】
【０００８】
本発明に係る表示装置は、導光板に載置されており、面に沿う方向に辺縁から延設された鍔部を有する光学シートと、前記鍔部を収納する収納部を有し、前記光学シートを保持する保持部材とを備える表示装置において、前記光学シートは複数枚の単位シートを含み、前記収納部は、前記複数枚の単位シートのうち、一部の単位シートの鍔部を収納する部分収納部を備え、前記一部の単位シートを除く他部の単位シートの鍔部は、前記部分収納部より大きいことを特徴とする。【０００９】
本発明にあっては、前記他部の単位シートの鍔部は、前記部分収納部より大きいので、該部分収納部に前記一部の単位シートの鍔部が収納された場合、該一部の単位シート及び前記部分収納部を覆うように、前記収納部に収納される。【００１０】
本発明に係る表示装置は、前記他部の単位シートは、前記導光板から最も遠い単位シートであり、前記一部の単位シート及び前記部分収納部を覆うように前記収納部に収納されていることを特徴とする。【００１１】
本発明にあっては、前記光学シートの中、前記導光板から最も遠い単位シートが、前記一部の単位シート及び前記部分収納部を覆うように前記収納部に収納される。【００１２】
本発明に係る表示装置は、前記光学シートの厚み方向における前記部分収納部の寸法は、前記一部の単位シートの鍔部の厚みを合算した値以下であることを特徴とする。【００１３】
本発明にあっては、前記部分収納部は、前記光学シートの厚み方向における寸法が前記一部の単位シートの鍔部の厚みを合算した値以下であるように構成されている。【００１４】
本発明に係る表示装置は、前記他部の単位シートの鍔部は、遮光膜を有することを特徴とする。【００１５】
本発明にあっては、前記他部の単位シートの鍔部は、前記一部の単位シート側の面に設けられた遮光膜を用いて、該一部の単位シートから入射される光を遮蔽する。【００１６】
本発明に係る表示装置は、前記保持部材は前記光学シートを囲んでおり、前記光学シートを介して光が入射される表示パネルと、前記光学シートの辺縁に沿って前記保持部材に設けられ、前記表示パネルを支持する支持部とを備え、前記支持部の前記光学シート側の縁部が前記他部の単位シートによって覆われていることを特徴とする。【００１７】
本発明にあっては、前記支持部の前記光学シート側の縁部が前記他部の単位シートによって覆われているので、前記一部の単位シート及び前記保持部材の間に存在する隙間は前記他部の単位シートによって塞がる。
【発明の効果】
【００１８】
本発明によれば、前記導光板から入射する光が前記光学シート及び前記保持部材の間の隙間から漏れることにより、前記表示パネルに輝度のムラ等が発生することを未然に防止できる。
【図面の簡単な説明】
【００１９】
【図１】実施の形態１における液晶テレビジョン受像機の外観を示す正面図である。
【図２】実施の形態１における液晶テレビジョン受像機を構成する要部を模式的に示す分解斜視図である。
【図３】実施の形態１に係る液晶テレビジョン受像機における、光学シート及び保持部材の構成を説明する斜視図である。
【図４】実施の形態１に係る液晶テレビジョン受像機の保持部材を説明する斜視図である。
【図５】実施の形態１に係る液晶テレビジョン受像機における、光学シートと保持部材との係合を説明する説明図である。
【図６】実施の形態１に係る液晶テレビジョン受像機における、光学シートと保持部材との係合を説明する説明図である。
【図７】図６のＡ−Ａ線による断面斜視図である。
【図８】図６のＢ−Ｂ線による断面斜視図である。
【図９】実施の形態２に係る液晶テレビジョン受像機における、係合鍔の構成を説明する説明図である。
【図１０】実施の形態３に係る液晶テレビジョン受像機における、拡散シートの構成を説明する説明図である。
【発明を実施するための形態】
【００２０】
以下に、本発明の実施の形態に係る表示装置を、液晶パネルを備えるいわゆる液晶テレビジョン受像機に適用した場合を例として、図面に基づいて詳述する。
【００２１】
（実施の形態１）
図１は、実施の形態１における液晶テレビジョン受像機１００の外観を示す正面図である。液晶テレビジョン受像機１００おいて、液晶表示パネル１及び他の部品は、ベゼル２及び後述するバックライトシャーシ６に収納されている。
【００２２】
図２は、実施の形態１における液晶テレビジョン受像機１００を構成する要部を模式的に示す分解斜視図である。
【００２３】
本実施の形態に係る液晶テレビジョン受像機１００は、図１に示したように、一面に矩形の液晶表示パネル１を備えており、液晶表示パネル１は表側の一面に映像を表示する。また、液晶表示パネル１の裏側には光学シート３と、保持部材４と、光源装置５と、バックライトシャーシ６とが斯かる順に設けられている。また、光源装置５は光源５１、導光板５２及び反射シート５３を有している。
【００２４】
光源装置５は、一面が開放された直方体の箱状をなすバックライトシャーシ６に収納されており、光学シート３の周縁側、及びバックライトシャーシ６の側壁側は矩形の枠形状のベゼル２によって取り囲まれている。
【００２５】
光学シート３は一面が液晶表示パネル１の他面と対向するように配置されており、また、導光板５２は一面が光学シート３の他面と対向するように配置され、更に反射シート５３は一面が導光板５２の他面と対向するように配置されている。
【００２６】
ベゼル２は、矩形状の枠体である。ベゼル２は、矩形の筒状の側板と、該側板の一端部から内向きに張り出した環状板の額縁部２１とからなり、液晶テレビジョン受像機１００の厚み方向での断面形状はＬ字状をなす。液晶表示パネル１より表側には、ベゼル２の額縁部２１が配置されている。換言すれば、液晶表示パネル１は、前記一面の周縁部がベゼル２の額縁部２１によって覆われている。ユーザは額縁部２１を介して液晶表示パネル１の前記一面に表示される画像を視認することができる。
【００２７】
液晶表示パネル１は、表示パネルであり、矩形の平板状をなす。液晶表示パネル１は、アクティブマトリクス方式を採用している。また、液晶表示パネル１は前記他面に偏光板（図示せず）を設けており、該偏光板を用いて入射される光をＰ波（水平偏光成分）とＳ波（垂直偏光成分）に分離し、Ｐ波だけが前記一面に向けて出て行き、Ｓ波は該偏光板に吸収されるように構成されている。液晶表示パネル１は、例えば電気泳動液晶パネルであっても良い。
【００２８】
液晶表示パネル１の前記他面側に設けられた光学シート３は、光源５１から発せられ、導光板５２を介して入射される光に対して拡散、集光等を行ない、より均一な光を液晶表示パネル１に向けて出射させる、公知のものである。例えば、光学シート３は、重ね合わせた３枚の単位シート３１，３２，３３を有する。より詳しくは、光学シート３は２枚の拡散シート３１，３３と、１枚のプリズムシート３２とを有しており、プリズムシート３２は２枚の拡散シート３１，３３の間に介在している。拡散シート３１、プリズムシート３２及び拡散シート３３は同じ矩形であり、同一の大きさを有している。
【００２９】
２枚の拡散シート３１，３３のうち導光板５２側に配置された拡散シート３１は、導光板５２を介して光源５１から入射される光を拡散させてプリズムシート３２に入射させる光学シートである。また、プリズムシート３２は、拡散シート３１を介して入射される光を集光して拡散シート３３に向けて出射させる光学シートである。プリズムシート３２を通過した光は、プリズムシート３２に対して垂直に拡散シート３３へ入射される。
【００３０】
液晶表示パネル１側に配置された拡散シート３３は、プリズムシート３２を介して入射される光を更に拡散させてより均一な輝度分布にして液晶表示パネル１の前記他面に向けて出射させる光学シートである。以下においては、説明の便宜上、拡散シート３１，３３と、プリズムシート３２とをまとめて光学シート３とも言う。
【００３１】
図３は実施の形態１に係る液晶テレビジョン受像機１００における、光学シート３及び保持部材４の構成を説明する斜視図であり、図４は実施の形態１に係る液晶テレビジョン受像機１００の保持部材４を説明する斜視図である。
【００３２】
光学シート３は、一長辺に、５つの係合鍔を有する。より詳しくは、拡散シート３１には斯かる一長辺の縁から係合鍔３１４が当該面方向に延設されており、拡散シート３３（他部の単位シート）には斯かる一長辺の縁から係合鍔３３４が当該面方向に延設されており、プリズムシート３２には斯かる一長辺の縁から係合鍔３２４が当該面方向に延設されている。以下においては、係合鍔３１４，３２４，３３４を係合鍔３４とも言う。
【００３３】
係合鍔３１４，３２４，３３４は保持部材４と光学シート３との係合に用いられる。係合鍔３１４，３２４，３３４は矩形をなしており、各係合鍔３１４，３２４，３３４には、保持部材４との係合に用いられる係合孔が形成されている。より詳しくは、係合鍔３１４には係合孔３１５が形成されており、係合鍔３２４には係合孔３２５が形成されており、係合鍔３３４には係合孔３３５が形成されている。例えば、係合孔３１５，３２５，３３５は、光学シート３の長手方向に長い短冊状をなす。以下においては、係合孔３１５，３２５，３３５を係合孔３５とも言う。
【００３４】
光学シート３の前記一長辺に沿う方向において、中央部に１つの係合鍔３４が設けられ、該中央部の係合鍔３４の両側に２つずつ係合鍔３４が同一間隔を挟んで設けられている。
【００３５】
光学シート３の前記他面側（導光板５２との対向面側）であって、該他面の周縁部付近には光学シート３を保持する保持部材４が設けられている。保持部材４は、光学シート３と係合を行うことにより、液晶表示パネル１と対向するよう光学シート３を保持する。
【００３６】
保持部材４は、中空の矩形状をなして光学シート３の縁を取り囲む保持枠４１を備えており、保持枠４１の外周縁にはバックライトシャーシ６の側壁６１が配置されている。保持板４１の斯かる開口部の大きさは、導光板５２の前記一面よりも小さい。
【００３７】
また、保持枠４１において、液晶表示パネル１側の一面には、係合鍔３１４，３２４，３３４を収納するための収納部４２が形成されている。収納部４２は、係合鍔３１４，３２４，３３４の一部が収納される部分収納部４４を有している。部分収納部４４は、保持板４１の長手方向に沿って形成された凹部４４１を有している。凹部４４１の長手方向の中央部であって、凹部４４１の光学シート３側の縁には、係合突起４３が設けられている。保持部材４の斯かる辺には、例えば、５つの係合突起４３が光学シート３の厚み方向に突出されており、これら係合突起４３，…，４３は係合鍔３１４，３２４，３３４の係合孔３１５，３２５，３３５に対応するよう設けられている。従って、係合突起４３，…，４３と係合孔３１５，３２５，３３５との係合により、光学シート３が保持部材４に保持される。
【００３８】
凹部４４１は、保持枠４１の長手方向において、短冊状を有している。また、凹部４４１は、光学シート３の厚み方向における寸法（以下、深さと言う。）が、係合鍔３１４及び係合鍔３２４の厚みの合算値以下である。
【００３９】
凹部４４１の長手方向の両端には、係合鍔３１４，３２４の収納を案内する案内部４５が設けられている。案内部４５は板状であり、一部が凹部４４１より光学シート３側に突設されている。係合鍔３３４は長手方向の両端部が案内部４５上に載置される。
【００４０】
すなわち、収納部４２は部分収納部４４及び案内部４５からなり、部分収納部４４は、凹部４４１と案内部４５の縁とによってなる、係合鍔３１４，３２４に倣う形状を形成する。しかし、本発明はこれに限るものでなく、部分収納部４４が係合鍔３１４，３２４と異なる形状を有しても良い。
【００４１】
また、保持部材４においては、液晶表示パネル１を支持する支持部４７が設けられている。支持部４７は短冊状をなしており、保持板４１の長手方向に沿って、係合突起４３から遠ざかる方向に、案内部４５の一端に連設されている。また、支持部４７は、光学シート３側の側面が、案内部４５の側面と面一になるように設けられている。
【００４２】
光学シート３の厚み方向において、案内部４５の寸法と支持部４７の寸法との間には、係合鍔３３４の厚みと等しい寸法の差がある。換言すれば、案内部４５及び支持部４７の間には、係合鍔３３４の厚みと等しい寸法の段差が存在する。
【００４３】
支持部４７には、光学シート３側の縁から所定の間隔を隔てて、支持部４７の形状に倣う形状のクッションＣが付されている。液晶表示パネル１はクッションＣに載置されることにより、光学シート３と接触又は非接触の状態にて、支持部４７が液晶表示パネル１を支持できる。
【００４４】
この際、案内部４５及び支持部４７の間には、係合鍔３３４の厚みと等しい寸法の段差が存在することから、案内部４５上に係合鍔３３４が載置された場合、光学シート３の厚み方向においては、係合鍔３３４の一面３３１と、支持部４７（クッションＣ）とは略等しいに高さになる。従って、支持部４７（クッションＣ）に液晶表示パネル１が支持される場合、係合鍔３３４との間に隙間が存在せず、液晶テレビジョン受像機１００の薄型化を図ることが出来る。
【００４５】
光学シート３の他面側には矩形の導光板５２が配置されている。すなわち、導光板５２の前記一面は光学シート３の前記他面と対向して配置されている。導光板５２は光源５１から出射され、その一側面から入射される光を拡散させて前記一面から光学シート３に向けて出射させる。
【００４６】
導光板５２は、例えば、透明の板材（ガラス、アクリル樹脂、ポリカーボネート樹脂等）からなる。光源としてＬＥＤのような点光源を使用した場合、導光板５２は各点光源からの光を拡散させて均一に面発光として前記一面から出射させる。
【００４７】
反射シート５３は、例えば、矩形であり、その一面が導光板５２の前記他面と対向するように配置され、導光板５２の前記他面から出射される光を導光板５２に戻す。
【００４８】
また、導光板５２の前記一側面には、光源５１が設けられている。光源５１は、例えば、基板５４上に実装された複数の発光ダイオード（ＬＥＤ：Ｌｉｇｈｔ Ｅｍｉｔｔｉｎｇ Ｄｉｏｄｅ）５５を含む。
【００４９】
図５及び図６は実施の形態１に係る液晶テレビジョン受像機１００における、光学シート３と保持部材４との係合を説明する説明図である。詳しくは、図５は係合鍔３１４，３２４と保持部材４との係合を表しており、図６は、更に係合鍔３３４が係合された場合を表している。
【００５０】
また、図７は図６のＡ−Ａ線による断面斜視図であり、図８は図６のＢ−Ｂ線による断面斜視図である。
【００５１】
光学シート３は、保持部材４の保持枠４１に係る開口部を覆うように保持部材４に保持されている。
【００５２】
すなわち、光学シート３の係合鍔３４が保持部材４の保持枠４１の前記一面と当接した状態にて、係合突起４３に、光学シート３の係合鍔３４の係合孔３５が係合されることにより、保持部材４は光学シート３を位置決めして保持する。詳しくは、一つの係合突起４３に対して、３つの係合孔３１５，３２５，３３５が係合している。導光板５２に対しては、係合鍔３１４が最も近く、係合鍔３３４が最も遠い。
【００５３】
一方、部分収容部４４には、上述したように、係合鍔３１４，３２４のみが載置され、係合鍔３３４は係合鍔３２４及び案内部４５上に載置される。
【００５４】
詳しくは、案内部４５によって案内され、部分収納部４４の凹部４４１に係合鍔３１４，３２４が載置される。まず、係合鍔３１４が、導光板５２に支えられつつ、係合突起４３と係合しながら、凹部４４１に載置され、次に、当該係合突起４３と係合しながら、係合鍔３１４の一面３１１に係合鍔３２４が載置される（図５参照）。
【００５５】
このように光学シート３（光学シート３１４）が導光板５２と接触して支えられる構成では、導光板５２と光学シート３（光学シート３１４）との間には何も存在せず、その分、液晶テレビジョン受像機１００の薄型化が可能である。
【００５６】
一方、光源が発する熱により、光学シート３が熱膨張するので、このような熱膨張に備え、部分収納部４４は、光学シート３の面に沿う方向において、係合鍔３１４，３２４の大きさより大きくする必要がある。より詳しくは、係合鍔３１４，３２４と、案内部４５との間に、所定の間隔を設ける必要がある（図５の白抜矢印参照）。
【００５７】
しかしながら、このように間隔を設けた場合、該間隔を通じて導光板５２からの光が漏れる虞がある。すなわち、本来であれば導光板５２から入射される光は光学シート３を介して液晶表示パネル１に入射されるが、上述したように薄型化を図る構成では、導光板５２からの光が前記間隔を通り抜けて直接液晶表示パネル１に入射してしまい、液晶表示パネル１において輝度ムラ等を発生させる虞がある。
【００５８】
これに対して、実施の形態１に係る液晶テレビジョン受像機１００においては、係合鍔３３４の大きさが、光学シート３の厚み方向から見て、係合鍔３１４，３２４及び部分収納部４４より大きく、係合鍔３１４，３２４及び部分収納部４４を覆うように収納部４２へ収納されることにより、斯かる問題を未然に防止できる。以下、詳しく説明する。
【００５９】
係合鍔３３４は、当該係合突起４３と係合しながら、係合鍔３１４，３２４及び部分収納部４４を覆うように係合鍔３２４の一面３２１に載置される。この際、係合鍔３３４の長手方向の両端部が案内部４５上に載置される。
【００６０】
このように、係合鍔３３４が載置された場合、上述したように、係合鍔３３４は係合鍔３１４，３２４及び部分収納部４４より大きいので、係合鍔３１４，３２４及び案内部４５の間の前記間隔は、係合鍔３３４によって塞がる（図６参照）。
【００６１】
従って、導光板５２からの光が当該間隔を介して漏れることはなく、液晶表示パネル１に輝度ムラ等が発生することを未然に防止できる。
以上においては、３３４の大きさが、光学シート３の厚み方向から見て、係合鍔３１４，３２４及び部分収納部４４より大きい場合を例として説明したが、これに限るものでなく、係合鍔３２４が係合鍔３１４，３３４及び部分収納部４４より大きくなるよう構成しても良い。
【００６２】
また、上述したように、部分収納部４４は係合鍔３１４及び係合鍔３２４の厚みの合算値以下の深さを有するので、係合鍔３３４が係合鍔３２４と当接しながら案内部４５の上に載置された場合、係合鍔３２４と係合鍔３３４との間に隙間が発生することない。
【００６３】
（実施の形態２）
実施の形態１においては、係合鍔３３４の大きさが係合鍔３１４，３２４及び部分収納部４４より大きく、係合鍔３１４，３２４及び部分収納部４４を覆うように収納部４２へ収納されるように構成されている場合について説明したが、本発明はこれに限るものでない。
【００６４】
図９は実施の形態２に係る液晶テレビジョン受像機１００における、係合鍔３３４の構成を説明する説明図である。
【００６５】
実施の形態２において、係合鍔３３４は遮光膜を有している。より詳しくは、収納部４２に収納される際、係合鍔３２４の一面３２１と対向・接触する係合鍔３３４の他面には、光を遮断する遮光膜３３６が塗布されている。
【００６６】
従って、導光板５２から出射された光が、係合鍔３１４，３２４及び案内部４５の間の間隔を通り抜けたとしても、遮光膜３３６によって液晶表示パネル１への進行が遮蔽される。
また、以上では、遮光膜が係合鍔３３４の前記他面に設けられた場合を例として説明したが、本発明はこれに限るものでない。係合鍔３３４の一面３３１に前記遮光膜を設けても良い。
【００６７】
すなわち、係合鍔３３４によって、係合鍔３１４，３２４及び案内部４５の間の前記間隔が塞がり、導光板５２からの光が当該間隔を介して漏れることはなく、遮光膜３３６により該光の液晶表示パネル１への進行が遮蔽される。従って、液晶表示パネル１に輝度ムラ等が発生することをより確実に防止できる。
【００６８】
以上においては、係合鍔３３４が遮光膜を有する場合を例に挙げて説明したが、本発明はこれに限るものでない。例えば、係合鍔３３４が反射膜を有するように構成しても良い。
【００６９】
（実施の形態３）
図１０は実施の形態３に係る液晶テレビジョン受像機１００における、拡散シート３３の構成を説明する説明図である。
【００７０】
上述したように、保持部材４（保持枠４１）は光学シート３の縁部を取り囲むように設けられており、係合鍔３４の係合孔３５と保持枠４１の係合突起４３とが係合することにより、保持部材４は光学シート３を保持する。
【００７１】
一方、光源が発する熱により、光学シート３が熱膨張することから、これに備え、光学シート３と、保持枠４１との間に、所定の間隔を設ける必要がある（図１０の白抜矢印参照）。
【００７２】
しかしながら、このように、光学シート３及び保持枠４１の間に間隔を設けた場合、該間隔を通じて導光板５２からの光が漏れる虞がある。すなわち、前記間隔を通り抜けて、導光板５２からの光が直接液晶表示パネル１に入射してしまい、液晶表示パネル１において輝度ムラ等を発生させる虞がある。
【００７３】
実施の形態３に係る液晶テレビジョン受像機１００は、このような問題に対応できるように構成されている。以下、詳しく説明する。
【００７４】
保持部材４においては、上述したように、短冊状である支持部４７が、保持板４１の長手方向に沿って、係合突起４３から遠ざかる方向に、案内部４５の一端に連設されている。また、支持部４７には、光学シート３側の縁から所定の距離Ｇを隔てた位置にクッションＣが付されている。
【００７５】
一方、光学シート３の中、拡散シート３３の大きさは、拡散シート３１及びプリズムシート３２の大きさより大きい。詳しくは、面に沿う方向において、拡散シート３３は、その辺縁部が、支持部４７の距離Ｇに係る範囲まで延びるように構成されている（図１０の２点鎖線部分参照）。すなわち、拡散シート３３はその辺縁部で、支持部４７と、プリズムシート３２及び拡散シート３１との間隔、及び、支持部４７の光学シート３側の一部を覆う。
【００７６】
従って、導光板５２からの光が、光学シート３と保持枠４１との間隔を介して漏れることはなく、液晶表示パネル１に輝度ムラ等が発生することを未然に防止できる。
【符号の説明】
【００７７】
１  液晶表示パネル
３  光学シート
４  保持部材
３１，３３  拡散シート
３２  プリズムシート
３４  係合鍔
４２  収納部
４４  部分収納部
４７  支持部
５２  導光板
１００  液晶テレビジョン受像機
３１４，３２４，３３４  係合鍔
【図１】
2017037855.tif 000003
【図２】
2017037855.tif 000004
【図３】
2017037855.tif 000005
【図４】
2017037855.tif 000006
【図５】
2017037855.tif 000007
【図６】
2017037855.tif 000008
【図７】
2017037855.tif 000009
【図８】
2017037855.tif 000010
【図９】
2017037855.tif 000011
【図１０】
2017037855.tif 000012
【国際調査報告】
2017037855.tif 000013
2017037855.tif 000014
2017037855.tif 000015